(57)【特許請求の範囲】
【請求項１】
排泄物を収容する排泄物収容部を有し、上面が開口した下部容器と、
前記排泄物収容部の上部を覆うように配置される使い捨ての液透過パネルと、
前記下部容器とは別体に形成され、前記液透過パネルを囲むように起立して配置される壁部を有する上部容器と、
前記下部容器と前記液透過パネルとの間に配置され前記液透過パネルを支持するパネル支持部と、
前記液透過パネルの周縁部の近傍の少なくとも一部を該液透過パネルの上面側から押さえるパネル押さえ部と、を備え、
前記上部容器の前記壁部における内側の内側側壁部は、下方へ向かうに従って上部容器の内側へ傾斜する傾斜部と、該傾斜部の下側に形成され下方向に延びる略鉛直面部を有し、
前記パネル押さえ部は、前記略鉛直面部の下端部により構成される犬用システムトイレ。
【請求項２】
前記パネル支持部は、複数の貫通穴を有する板部材により構成されて前記液透過パネルの下面の略全域を支持し、
前記パネル押さえ部における前記液透過パネルを押さえる位置は、前記パネル支持部における前記貫通穴が形成された領域に位置する請求項１に記載の犬用システムトイレ。
【請求項３】
前記液透過パネルは、コルゲートハニカム構造により構成され、
前記液透過パネルの一方の端部から他方の端部へと延び、前記液透過パネルの平面方向に沿って交互に配置される平板状シート及び波板状シートと、
該波板状シートの波状の部分により形成されて前記液透過パネルの厚さ方向に貫通する複数の孔部と、を有する請求項２に記載の犬用システムトイレ。
【請求項４】
前記パネル支持部は、前記複数の貫通穴が長方形に形成される格子部を有し、
前記液透過パネルにおける前記平板状シート及び前記波板状シートの延びる方向と、前記格子部における前記複数の貫通穴の長辺を構成する桟の延びる方向とが交差するように、前記液透過パネルが前記パネル支持部に配置されている、請求項３に記載の犬用システムトイレ。
【発明の詳細な説明】
【技術分野】
【０００１】
本発明は、犬用システムトイレに関する。
【背景技術】
【０００２】
従来、室内で飼育する動物の排泄物を処理するため、室内に設置できる動物用トイレが使用されている。このような動物用トイレとして、排泄容器となる受け皿に、吸水性を有する尿吸収マットと、この尿吸収マットの上面を被覆する液透過性の不織布とを配置した動物用トイレが提案されている（例えば、特許文献１参照）。
【０００３】
しかし、特許文献１に記載の動物用トイレでは、動物は不織布の上に直接乗った状態で排泄する。このため、動物が排泄跡を踏みつけることや、排泄後に不織布の上面で拡がった尿に動物の足が触れることにより、動物の足が濡れる足濡れが生じる場合がある。足濡れが生じると、動物が排泄後に室内を移動することで室内の床面が汚染される。このため、排泄時に動物が足濡れを起こさない動物用トイレが強く望まれている。
【０００４】
そこで、本出願人は、先に、排泄物収容部を有する排泄物収容容器と、排泄物収容部の上部を覆うように配置され吸収性を有すると共に厚さ方向に貫通する複数の孔部を有する液透過パネルと、排泄物収容部と液透過パネルとの間に配置され液透過パネルを指示する支持部と、を備える犬用システムトイレを提案している（特許文献２参照）。
特許文献２で提案された犬用システムトイレによれば、液透過パネルの上面に排泄された排泄物のうちの液体部分の大部分は、液透過パネルを透過して排泄物収容部に収容され、かつ、液透過パネルに残存した液体は、液透過パネル３に吸収される。これにより、液透過パネルの上に排泄物の液体部分（尿）を残りにくくできるので、犬の足濡れが生じにくい。
【先行技術文献】
【特許文献】
【０００５】
【特許文献１】特開２００２−１４２５９９号公報
【特許文献２】特開２０１１−１３５８３９号公報
【発明の概要】
【発明が解決しようとする課題】
【０００６】
しかしながら、特許文献２で提案された犬用システムトイレでは、犬が勢いよく犬用システムトイレに出入りした場合、及び犬が好奇心やストレスにより液透過パネルを引っかいた場合等に、液透過パネルが外れてしまう場合があった。
【０００７】
従って、本発明は、液透過パネルが外れにくい犬用システムトイレを提供することを目的とする。
【課題を解決するための手段】
【０００８】
本発明は、排泄物を収容する排泄物収容部を有し、上面が開口した下部容器と、前記排泄物収容部の上部を覆うように配置される使い捨ての液透過パネルと、前記下部容器と前記液透過パネルとの間に配置され前記液透過パネルを支持するパネル支持部と、前記液透過パネルの周縁部の近傍の少なくとも一部を該液透過パネルの上面側から押さえるパネル押さえ部と、を備える犬用システムトイレに関する。
【０００９】
また、犬用システムトイレは、前記液透過パネルを囲むように起立して配置される壁部を有する上部容器を更に備え、前記パネル押さえ部は、前記壁部の内側の下端部により構成されることが好ましい。
【００１０】
また、前記パネル支持部は、複数の貫通穴を有する板部材により構成されて前記液透過パネルの下面の略全域を支持し、前記パネル押さえ部における前記液透過パネルを押さえる位置は、前記パネル支持部における前記貫通穴が形成された領域に位置することが好ましい。
【００１１】
また、犬用システムトイレは、前記液透過パネルの外形と略同形に形成され、該液透過パネルの上面に配置される枠部材を更に備え、前記パネル押さえ部は、前記枠部材により構成されることが好ましい。
【００１２】
また、前記パネル押さえ部は、前記液透過パネルの上面側から前記パネル支持部に向かって差し込まれ、該液透過パネルを貫通するピン状部材により構成されることが好ましい。
【発明の効果】
【００１３】
本発明の犬用システムトイレによれば、犬が勢いよく犬用システムトイレに出入りした場合等であっても液透過パネルが外れにくい。
【図面の簡単な説明】
【００１４】
【図１】第１実施形態に係る犬用システムトイレを示す斜視図である。
【図２】図１に示す犬用システムトイレの分解斜視図である。
【図３】図１に示す犬用システムトイレの平面図である。
【図４】図１に示す犬用システムトイレの平面図であり、液透過パネルを除いた状態を示す図である。
【図５】図１に示す犬用システムトイレの部分拡大断面図であり、図３に示すＸ−Ｘ線断面図である。
【図６】図１に示す犬用システムトイレの部分拡大断面図であり、図３に示すＹ−Ｙ線断面図である。
【図７】液透過パネルの拡大平面図である。
【図８】図７のＺ−Ｚ線断面図である。
【図９】図１に示す犬用システムトイレを分解した状態で示す断面図である。
【図１０】第２実施形態に係る犬用システムトイレの一部を分解して示す分解斜視図である。
【図１１】第２実施形態に係る犬用システムトイレを示す平面図である。
【図１２】第３実施形態に係る犬用システムトイレの一部を分解して示す斜視図である。
【図１３】第３実施形態に係る犬用システムトイレを示す平面図である。
【図１４】第４実施形態に係る犬用システムトイレを示す斜視図である。
【図１５】図１４のＡ−Ａ線断面図である。
【発明を実施するための形態】
【００１５】
以下、本発明の好ましい実施形態につき図面を参照しながら説明する。
本実施形態の犬用システムトイレ１は、図１及び図２に示すように、下部容器２と、液透過パネル３と、パネル支持部４と、上部容器５と、液透過パネル３を上面側から押さえるパネル押さえ部１０と、を備える。
尚、本明細書で言う「犬」とは、主として室内で飼育される犬を対象とし、より詳細には、体重が概ね７ｋｇ以下の小型犬を表す。
【００１６】
下部容器２は、上面が開口すると共に、排泄物が収容される排泄物収容部２１を有する。この下部容器２は、図２、図５及び図６に示すように、略正方形状の底面部２２と、この底面部２２の４辺それぞれから底面部２２に対して所定の角度で起立して配置される４つの下部側壁部２３と、を備える。そして、排泄物収容部２１は、底面部２２及び４つの下部側壁部２３に囲まれた空間により形成される。この排泄物収容部２１には、尿等の液体を吸収して保持する吸液シート６が配置される。
【００１７】
液透過パネル３は、図１〜図３に示すように、排泄物収容部２１の上部を覆うように配置される。この液透過パネル３の詳細については、後述する。
【００１８】
パネル支持部４は、図２、図５及び図６に示すように、下部容器２と液透過パネル３との間に配置され、液透過パネル３の下面の全域を支持する。このパネル支持部４は、図２に示すように、平面視において下部容器２と略同形同大の正方形の板状部材により構成される。
パネル支持部４は、図２に示すように、複数の貫通穴４１１が格子状に形成された格子部４１と、この格子部４１の周囲に設けられる周囲支持部４２と、この周囲支持部４２に形成される一対の把持穴４３と、を備える。
【００１９】
格子部４１は、パネル支持部４の中央部に配置される。この格子部４１は、平面視において液透過パネル３と略同形同大の正方形に形成される。
複数の貫通穴４１１は、矩形形状に形成され、行方向及び列方向にそれぞれ所定の間隔をあけて配置される。複数の貫通穴４１１の大きさは、好適な液体透過性を確保する観点から、一辺の長さが好ましくは１ｍｍ〜１００ｍｍ、より好ましくは１０〜６０ｍｍに構成される。
【００２０】
本実施形態では、好適な液体透過性を確保すると共に、パネル支持部４の強度を確保する観点から、貫通穴４４１の形状は、縦が５５ｍｍ、横が１５ｍｍの長方形に形成されている。また、貫通穴４４１は、長手方向が上部容器５における後述の出入り口部５３から奥に向かう方向に沿って配置される。
また、格子部４１における貫通穴４１１が設けられていない部分の幅Ｗ１（格子の桟の太さ、図４参照）は、好適な液体透過性を確保すると共に、パネル支持部４の強度を確保する観点から、好ましくは１ｍｍ〜１０ｍｍ、より好ましくは２ｍｍ〜６ｍｍである。
【００２１】
周囲支持部４２は、パネル支持部４における格子部４１（複数の貫通穴４１１）が設けられていない領域を構成する。この周囲支持部４２は、図５及び図６に示すように、格子部４１よりも若干高い位置に配置される。即ち、格子部４１は、周囲支持部４２に囲まれ、この周囲支持部４２から若干下方に凹んだ領域に形成される。
一対の把持穴４３は、格子部４１を挟んで対向する位置に設けられる。一対の把持穴４３は、犬用システムトイレ１において、下部容器２の上部に配置されたパネル支持部４を取り外す場合に指を挿入する場所となる。
【００２２】
以上のパネル支持部４における格子部４１の厚さＤは、パネル支持部４の強度を確保する観点、及び排泄物収容部２１に収容された尿等の液体が液透過パネル３に戻ることを防ぐ観点から、好ましくは１ｍｍ〜１５ｍｍである（図５参照）。
【００２３】
上部容器５は、液透過パネル３が配置されたパネル支持部４の上部に配置される。この上部容器５は、図２に示すように、平面視において外形が正方形の枠状に形成され、液透過パネル３を囲むように起立して配置される壁部としての４つの上部側壁部５１と、４つの上部側壁部５１のうちの１つの上部側壁部５１に設けられた出入り口部５２と、を備える。
【００２４】
上部側壁部５１は、図５に示すように、外側側壁部５１１と、内側側壁部５１２と、下部容器係合部５１３と、を備える。
外側側壁部５１１は、上部側壁部５１の外側面を構成する。外側側壁部５１１は、上方に向かうに従って若干内側に傾斜した傾斜面となっている。
内側側壁部５１２は、上部側壁部５１の内側面を構成する。内側側壁部５１２は、下方に向かうに従って内側に傾斜すると共にわずかに下方に向かって凸に湾曲した傾斜面となっている。また、内側側壁部５１２の下端部の近傍は、略鉛直方向に延びた鉛直面となっている。そして、内側側壁部５１２の下端部は、図４〜図６に示すように、パネル支持部４における貫通穴４１１が形成された領域、即ち格子部４１上に位置する。
【００２５】
下部容器係合部５１３は、外側側壁部５１１の下端部から外方に延出した後、下方に屈曲した形状に構成される。この下部容器係合部５１３は、上部容器５を下部容器２の上部に配置した場合に、パネル支持部４の周縁部を間に挟んだ状態で下部側壁部２３の上部に係合される。
【００２６】
出入り口部５２は、図３及び図６に示すように、４つの上部側壁部５１のうちの１つの上部側壁部５１の高さを低くすることで構成される。犬用システムトイレ１を使用する犬は、この出入り口部５２から上部容器５に出入りできる。
【００２７】
パネル押さえ部１０は、液透過パネル３の周縁部の近傍の少なくとも一部を、液透過パネル３の上面側から押さえる。
第１実施形態では、パネル押さえ部１０は、上部側壁部５１の内側側壁部５１２の下端部により構成される。即ち、内側側壁部５１２の下端部は、図５及び図６に示すように、パネル支持部４における貫通穴４１１が形成された領域、即ち格子部４１上に位置する。そして、この状態において、内側側壁部５１２の下端部は、図３に示すように、液透過パネル３の周縁部の全周を押さえてパネル支持部４との間で挟み込んでいる。
パネル押さえ部１０（内側側壁部５１２の下端部）による液透過パネル３を押さえる位置は、液透過パネル３を好適に押さえて固定するという観点から、好ましくは液透過パネル３の周縁から５ｍｍ〜１５ｍｍの位置である（図５及び図６参照）。
【００２８】
以上の下部容器２、パネル支持部４及び上部容器５は、木材、金属、プラスチック等の種々の材質を用いて構成できる。これらの材質の中では、排泄物が材料の内部に染み込むことによる臭気の発生の問題や、排泄物による腐食の問題がないことからプラスチックを用いるのが好ましい。プラスチックとしてはポリエチレン、ポリプロピレン、塩化ビニル樹脂、ポリスチレン、ＡＢＳ樹脂、ＡＳ樹脂、ポリエステル樹脂（ポリエチレンテレフタレート等）、ポリアミド樹脂、ポリカーボネート樹脂等種々の材料を使用することができる。
【００２９】
次に、液透過パネル３の詳細について図７及び図８を参照しながら説明する。
図７は、液透過パネル３の平面図であり、図８は、図７のＺ−Ｚ線断面図である。
液透過パネル３は、吸水性を有する使い捨てのパネルにより構成される。この液透過パネル３は、パネル支持部４の上面側に配置され、格子部４１の上面の全域を覆う。
【００３０】
本実施形態では、１枚の液透過パネル３は、図２に示すように、格子部４１の大きさの略半分の大きさを有する長方形状に形成され、２枚の液透過パネル３により格子部４１の上面を覆っている。また、液透過パネル３は、長手方向が上部容器５の出入り口部５２が形成された上部側壁部５１の延びる方向に沿うように配置される。以上の液透過パネル３は、所定の液透過性、液吸収性及び消臭性を備える。
【００３１】
液透過パネル３は、図７及び図８に示すように、厚さ方向に貫通する複数の孔部３１を有する。そして、液透過パネル３は、複数の孔部３１を通じて液体の排泄物を液透過パネル３の厚さ方向に透過させる。
複数の孔部３１の開口部の平均面積は、１０ｍｍ２〜１００ｍｍ２／個であることが好ましく、１５ｍｍ２〜６０ｍｍ２／個であることがより好ましい。孔部３１の開口部の平均面積が小さすぎると、液透過パネル３に付着する排泄物の量が増えて足濡れを抑制しにくい。また、孔部３１の開口部の平均面積が広すぎると、液透過パネル３に十分な強度を付与するために液透過パネル３を厚くする必要がある点で好ましくない。
【００３２】
液透過パネル３の好ましい構造としては、ハニカム構造又はコルゲートハニカム構造が挙げられる。これらのパネルの中では、製造が容易で安価に入手可能であることからコルゲートハニカム構造のパネルがより好ましい。
コルゲートハニカム構造の液透過パネル３としては、例えば、孔部３１（セル）のサイズが５ｍｍで、厚み５ｍｍの積層ダンボールが例示できる。パネルの材質は、ＣＯＢＢ３０法（ＪＩＳ−Ｐ８１４０）で１０ｇ〜２０ｇ／ｍ２の吸収性を示す耐水原紙を材料とするパネルを例示できる。以上の範囲の吸収性を有するコルゲートハニカムパネルは、遅吸水性を有し、かつ、濡れた場合の強度に優れるため好ましい。液透過パネル３は、厚さ方向に貫通する複数の孔部３１を有するため、尿は複数の孔部３１を下方に通過し、犬が乗っている液透過パネル３の表面で拡がりにくい。
【００３３】
以上の液透過パネル３は、図２に示すように、格子部４１の幅方向に延びる辺が連続する方向に沿って、液透過パネル３の長手方向が延びるように配置される。即ち、格子部４１の桟の長手方向が延びる方向と、液透過パネル３の内部で波板状シート３２及び平板状シート３３が延びる方向とが交差（略直交）する関係となるように配置される。このような配置により、格子部４１の長手方向の桟が液透過パネル３を構成する波板状シート３２及び平板状シート３３により補強され、液透過パネル３とパネル支持部４とにより相乗的に犬用システムトイレ１の強度を高められる。その結果、パネル支持部４を薄く構成できる。
【００３４】
液透過パネル３を構成する吸水性を有するパネルの材料は、排泄物を良好に透過しつつ、所定の吸水性を有するものであれば特に制限されず、種々の材料を用いることができる。吸水性を有する材料の具体例としては、パルプ等の木質繊維の他、種々の有機又は無機の多孔質材料や、種々の有機又は無機の繊維材料からなる織布又は不織布が挙げられる。有機繊維材料の具体例としては、木質繊維（パルプ等）、コットン、麻等のセルロース性繊維材料や、獣毛（ウール等）等の動物性繊維、又は、ポリオレフィン繊維（ポリエチレン、ポリプロピレン等）、ポリエステル繊維（ポリエチレンテレフタレート等）、ナイロン繊維（ナイロン６、ナイロン６６等）、アクリル繊維等の合成繊維が挙げられる。
【００３５】
これらの材料の中では加工が容易でコストが安いという点からパルプが好ましく、適度な液透過性と吸水性を実現可能な段ボール紙がより好ましい。この場合、当該段ボール紙はサイズ剤等の疎水剤又は撥水剤を含有することが好ましく、当該サイズ剤の種類と量によって所定の吸水性を選択できる。
【００３６】
以上の液透過パネル３の厚さは、３ｍｍ〜２５ｍｍに構成され、３ｍｍ〜１０ｍｍであることが好ましく、３ｍｍ〜７ｍｍであることがより好ましい。液透過パネル３の厚さが上述の範囲であると、液透過パネル３を厚さ方向に透過した尿等の液体が、液透過パネル３の表面（上面）まで戻りづらい。
液透過パネル３の厚さが３ｍｍ未満の場合には、この液透過パネル３が変形することにより尿等の液体の排泄物収容部２１への透過が妨げられたり、犬の重量によって液透過パネル３が破壊されたりする場合がある等、強度の点で問題が生じる。
液透過パネル３の厚さが２５ｍｍを超える場合には、犬用システムトイレ１における排泄容器２の下端部から液透過パネル３の上面までの高さが高くなってしまう。また、一回の排泄による液透過パネル３の排泄物の吸収量が増加し交換サイクルが短くなる問題や、交換用の液透過パネル３を保管する際に嵩張ること等の問題がある。
【００３７】
液透過パネル３の液透過率は、９０％以上であることが好ましく、９３％以上であることがより好ましい。かかる液透過率の液透過パネル３を用いることにより、排泄後の液透過パネル３への尿の付着を低減でき、液透過パネル３の内部での尿の拡散や、液透過パネル３を踏みつけることによる足濡れの発生を抑制できる。液透過パネル３の液透過率は、下記の方法により測定できる。
【００３８】
〔吸水性測定方法〕
液透過パネル３等の測定対象を５ｃｍ×５ｃｍにカットした試料の重量（Ａ）を測定する。カットされた試料を１分間、人工尿に浸漬する。１分間浸漬後、試料を引き上げ、表面に付着した人工尿を拭き取った後、各試料の重量（Ｂ）を測定する。吸水率の値を下式に基づいて算出する。なお、人工尿は液透過率の測定と同じものを使用する。
【００３９】
（吸水性計算式）
吸水性（％／ｍｉｎ）＝（重量（Ｂ）−重量（Ａ））÷重量（Ａ）×１００
【００４０】
図９は、犬用システムトイレ１の拡大断面図である。
以上説明した犬用システムトイレ１は、図９に示すように、排泄物収容部２１に吸液シート６を収容した状態で、下部容器２の上部にパネル支持部４を配置し、このパネル支持部４の上面に液透過パネル３を配置し、液透過パネル３が配置されたパネル支持部４の上部に上部容器５を配置して組み立てられ、使用される。そして、この状態では、図５及び図６に示すように、液透過パネル３の周縁部の近傍は、上部容器５の内側側壁部５１２の下端部により上面から押さえられて固定される。
【００４１】
以上説明した第１実施形態の犬用システムトイレ１によれば、以下のような作用効果を奏する。
【００４２】
（１）犬用システムトイレ１を、液透過パネル３を上面側から押さえるパネル押さえ部１０を含んで構成した。これにより、パネル支持部４に支持された液透過パネル３をパネル押さえ部１０により押さえて固定できる。よって、犬が勢いよく犬用システムトイレ１に出入りした場合、及び犬が好奇心やストレスにより液透過パネルを引っかいた場合等においても液透過パネルを外れにくくできる。
【００４３】
（２）犬用システムトイレ１を、上部側壁部５１を有する上部容器５を含んで構成し、この上部側壁部５１の内側の下端部（内側側壁部５１２の下端部）によりパネル押さえ部１０を構成した。これにより、パネル支持部４の上面に液透過パネル３を配置した状態で、パネル支持部４の上部に上部容器５を配置することで、上部側壁部５１により液透過パネル３を容易に押さえられる。よって、簡易な構成により液透過パネル３の外れにくい犬用システムトイレ１を提供できる。また、内側側壁部５１２の下端部をパネル押さえ部１０とすることで、液透過パネル３の全周を押さえられるので、液透過パネル３をより外れにくくできる。
【００４４】
（３）パネル支持部４を、複数の貫通穴４１１を有する板状部材により構成し、内側側壁部５１２の下端部（パネル押さえ部１０）により液透過パネル３を押さえる位置を、パネル支持部４における貫通穴４１１が形成された領域である格子部４１に位置させた。これにより、内側側壁部５１２を伝って液透過パネル３に達し、この液透過パネル３を透過した液体を、格子部４１を通してパネル支持部４から排泄物収容部２１に速やかに移行させられる。よって、犬が液透過パネル３の周縁部近傍において尿を排泄した場合、つまり、尿が内側側壁部５１２に付着し、この尿が内側側壁部５１２を伝って液透過パネル３の周縁部近傍に達した場合、であっても、排泄された尿をパネル支持部４に滞留させることなく排泄物収容部２１に移行させられるので、犬用システムトイレ１における悪臭の発生を低減できる。また、犬用システムトイレ１の清潔状態を長く保てるので、犬用システムトイレ１の清掃回数を低減できる。
【００４５】
（４）内側側壁部５１２の下端部近傍を鉛直面により構成した。これにより、内側側壁部５１２に付着した尿を滞留させることなく液透過パネル３に移行させられるので、犬用システムトイレ１における悪臭の発生を更に低減できる。
【００４６】
（５）液透過パネル３を、厚さが３ｍｍ〜２５ｍｍの積層ダンボールにより構成した。これにより、液透過パネル３を、不織布製等のシート部材に比して大きい剛性に構成できるので、この液透過パネル３を内側側壁部５１２の下端部により上面側から押さえることで、容易に固定できる。よって、内側側壁部５１２の下端部及びパネル支持部４に、凹部や凸部等の複雑な機構を設けることなく液透過パネル３を固定できるので、尿が付着する液透過パネル３の固定部位を複雑な形状にすることなく犬用システムトイレ１を構成でき、この固定部位に尿が滞留することを防げる。
【００４７】
次に、本発明の犬用システムトイレの第２実施形態について、図１０及び図１１を参照しながら説明する。図１０は、第２実施形態の犬用システムトイレ１の一部分解斜視図である。図１１は、第２実施形態の犬用システムトイレ１の平面図である。
尚、第２実施形態以降の説明にあたって、同一構成要件については同一符号を付し、その説明を省略もしくは簡略化する。
【００４８】
第２実施形態の犬用システムトイレ１は、主として、パネル押さえ部１０の構成において第１実施形態と異なる。
第２実施形態では、犬用システムトイレ１は、パネル押さえ部としての枠部材１０Ａを備える。枠部材１０Ａは、液透過パネル３の外形と略同形に形成される。枠部材１０Ａは、図１０及び図１１に示すように、液透過パネル３の上面に配置されて、液透過パネル３の周縁の近傍を全周に亘って押さえる。
枠部材１０Ａは、厚さが２ｍｍ〜５ｍｍ、幅が１５ｍｍ〜２５ｍｍ、重さが５０ｇ〜１５００ｇ程度に構成される。この枠部材１０Ａは、アクリル板、ステンレス板、又は鉄板等の容易に洗浄可能な部材により構成される。
【００４９】
尚、第２実施形態では、液透過パネル３は、上部容器５において対向して配置される一対の上部側壁部５１の内側側壁部５１２間の距離と略等しい長さの正方形に形成される。そして、犬用システムトイレ１を組み立てる場合には、液透過パネル３は、上部容器５を配置した後に、パネル支持部４の上面に配置される。そして、その後、液透過パネル３の上面に枠部材１０Ａが配置される。
【００５０】
第２実施形態の犬用システムトイレ１によれば、上述した（１）及び（５）の作用効果を奏する他、以下のような作用効果を奏する。
（６）パネル押さえ部を、枠部材１０Ａにより構成した。これにより、枠部材１０Ａにより、液透過パネル３の全周を押さえられるので、液透過パネル３をより外れにくくできる。
【００５１】
次に、本発明の犬用システムトイレの第３実施形態について、図１２及び図１３を参照しながら説明する。図１２は、第３実施形態の犬用システムトイレ１の一部分解斜視図である。図１３は、第３実施形態の犬用システムトイレ１の平面図である。
第３実施形態の犬用システムトイレ１は、パネル押さえ部が棒状部材１０Ｂにより構成される点で、第２実施形態と異なる。
【００５２】
第３実施形態では、犬用システムトイレ１は、パネル押さえ部としての棒状部材１０Ｂを備える。棒状部材１０Ｂは、上部容器５において対向して配置される一対の上部側壁部５１の内側側壁部５１２間の距離と略等しい長さに形成される。棒状部材１０Ｂは、図１２及び図１３に示すように、液透過パネル３の上面に配置されて、液透過パネル３の周縁の近傍を２ヶ所で押さえる。第２実施形態では、棒状部材１０Ｂは、図１２に示すように、２枚の液透過パネル３の境目をまたぐ位置に配置される。
【００５３】
棒状部材１０Ｂは、厚さが２ｍｍ〜５ｍｍ、幅が１５ｍｍ〜２５ｍｍ、重さが２０ｇ〜７５０ｇ程度に構成される。この棒状部材１０Ｂは、アクリル板、ステンレス板、又は鉄板等の容易に洗浄可能な部材により構成される。
【００５４】
第３実施形態の犬用システムトイレ１によれば、上述した（１）及び（５）の作用効果を奏する。
【００５５】
次に、本発明の犬用システムトイレの第４実施形態について、図１４及び図１５を参照しながら説明する。図１４は、第４実施形態の犬用システムトイレ１の斜視図である。図１５は、図１４のＡ−Ａ線断面図である。
第４実施形態の犬用システムトイレ１は、パネル押さえ部がピン状部材１０Ｃにより構成される点で、第２実施形態と異なる。
【００５６】
第４実施形態では、犬用システムトイレ１は、パネル押さえ部としてのピン状部材１０Ｃを備える。ピン状部材１０Ｃは、液透過パネル３の上面側からパネル支持部４に向かって差し込まれ、液透過パネル３を貫通することで、液透過パネル３を押さえる。
【００５７】
より具体的には、ピン状部材１０Ｃは、図１４及び図１５に示すように、先端側が２つに分岐したクリップ形状に構成される。そして、ピン状部材１０Ｃは、先端側から液透過パネル３に差し込まれた状態で、分岐した先端が隣合う貫通穴４１１に挿入され、隣り合う貫通穴４１１の間の桟を挟み込む。これにより、液透過パネル３をパネル支持部４側に押さえて固定する。
第４実施形態では、ピン状部材１０Ｃは、平面視において正方形状の液透過パネル３の４つの頂点の近傍にそれぞれ配置される。
【００５８】
第４実施形態の犬用システムトイレ１によれば、上述した（１）及び（５）の作用効果を奏する他、以下のような作用効果を奏する。
【００５９】
（７）パネル押さえ部を、ピン状部材１０Ｃにより構成した。これにより、ピン状部材１０Ｃを液透過パネル３に差し込むことでこの液透過パネル３を容易に押さえられ、ピン状部材１０Ｃを液透過パネル３から抜き取ることで、液透過パネル３を容易に取り外せる。よって、液透過パネル３を交換する場合の作業性を向上させられる。
【００６０】
以上、本発明の好ましい各実施形態について説明したが、本発明は、上述した各実施形態に制限されるものではなく、適宜変更が可能である。
【００６１】
例えば、第１実施形態では、内側側壁部５１２の下端部により液透過パネル３の周縁の全周を抑えたが、これに限らない。即ち、内側側壁部の下端部により液透過パネルの周縁を、向い合う２ヶ所において押さえてもよい。
【００６２】
また、第３実施形態では、パネル押さえ部を、２本の棒状部材１０Ｂにより構成したが、これに限らない。即ち、パネル押さえ部を、３本の棒状部材により構成してもよく、また、４本の棒状部材により構成してもよい。
【符号の説明】
【００６３】
１  犬用システムトイレ
２  下部容器
３  液透過パネル
４  パネル支持部
５  上部容器
１０  パネル押さえ部
１０Ａ  枠部材（パネル押さえ部）
１０Ｂ  棒状部材（パネル押さえ部）
１０Ｃ  ピン状部材（パネル押さえ部）
５１  上部側壁部（壁部）
【図１】
0006008537.tif 000002
【図２】
0006008537.tif 000003
【図３】
0006008537.tif 000004
【図４】
0006008537.tif 000005
【図５】
0006008537.tif 000006
【図６】
0006008537.tif 000007
【図７】
0006008537.tif 000008
【図８】
0006008537.tif 000009
【図９】
0006008537.tif 000010
【図１０】
0006008537.tif 000011
【図１１】
0006008537.tif 000012
【図１２】
0006008537.tif 000013
【図１３】
0006008537.tif 000014
【図１４】
0006008537.tif 000015
【図１５】
0006008537.tif 000016